(57)【要約】【課題】オーバーフロー管に流れる補給水の量を調整可能な便器装置を提供すること。【解決手段】補給水をオーバーフロー管６の開口部６ａへ向けて吐出する補給水吐水部５４を有し、開口部６ａの上方からオーバーフロー管６の内部に補給水を供給する補給水供給部５と、補給水供給部から出た水を開口部と洗浄水タンクとのそれぞれに流すことが可能な補給水流量調整部とを、有する便器装置である。補給水流量調整部は、オーバーフロー管６の開口部６ａに対する、補給水供給口５４から吐出する補給水の相対的な方向を変化させる相対変化部と、洗浄水タンク２へ連通する貫通孔が形成され補給水供給口５４からの補給水を受ける補給水受け部６１、６２と、を有する。【選択図】図４
2019190247.tif 000002
【特許請求の範囲】
【請求項１】
便器と、
前記便器の上方に配置される洗浄水タンクと、
前記洗浄水タンクの内部に配置され、上部に開口部を有するオーバーフロー管と、
補給水を前記オーバーフロー管の開口部へ向けて吐出する補給水吐水部を有し、前記開口部の上方から前記オーバーフロー管の内部に補給水を供給する補給水供給部と、
前記補給水供給部から出た水を前記開口部と前記洗浄水タンクとのそれぞれに流すことが可能な補給水流量調整部とを、有する便器装置。
【請求項２】
前記補給水流量調整部は、
前記オーバーフロー管の開口部に対する、前記補給水吐水部から吐出する補給水の相対的な方向を変化させる相対変化部と、
前記洗浄水タンクへ連通する貫通孔が形成され前記補給水吐水部からの補給水を受ける補給水受け部と、を有する請求項１に記載の便器装置。
【請求項３】
前記補給水受け部は、前記オーバーフロー管の開口部に設けられている請求項２に記載の便器装置。
【請求項４】
前記相対変化部は、前記開口部に対する補給水の吐出方向を変化可能に前記補給水吐水部を回転可能に支持する補給水吐水部支持部により構成される請求項２又は請求項３に記載の便器装置。
【発明の詳細な説明】
【技術分野】
【０００１】
本発明は、便器装置に関する。
【背景技術】
【０００２】
従来、便器洗浄タンクと、便器洗浄タンクの底部に取り付けられるオーバーフロー管と、を備える便器装置が知られている（例えば、特許文献１参照）。特許文献１に記載のオーバーフロー管は、上下方向に延びるオーバーフロー管本体と、オーバーフロー管本体の下部に設けられ洗浄水を排出する排水口と、を備える。オーバーフロー管本体の上部の開口部から流入した水は、下部において排水口に流れ込む。また、オーバーフロー管本体の上部の開口部には、補給水を供給する補給水吐水部から補給水が供給される。
【先行技術文献】
【特許文献】
【０００３】
【特許文献１】特開２０１５−１９０２３０号公報
【特許文献２】特許第５８２１０８２号公報
【発明の概要】
【発明が解決しようとする課題】
【０００４】
特許文献１に記載されている便器装置では、補給水吐水部からの補給水の量を調整することは困難である。また、特許文献２に記載されている便器装置では、所定量の補給水をオーバーフロー管に流れるようにするため、水受部材を切除することにより小孔を形成して、当該小孔から補給水がオーバーフロー管に流れるように構成されているが、一旦小孔を開けてしまうと小穴を塞ぐことはできず、小孔を開けた後にオーバーフロー管に流れる補給水の量を調整することはできない。
【０００５】
本発明は、オーバーフロー管に流れる補給水の量を調整可能な便器装置を提供することを目的とする。
【課題を解決するための手段】
【０００６】
本発明は、便器（例えば、後述の便器１０２）と、前記便器の上方に配置される洗浄水タンク（例えば、後述の便器洗浄タンク２）と、前記洗浄水タンクの内部に配置され、上部に開口部（例えば、後述の開口部６ａ）を有するオーバーフロー管（例えば、後述のオーバーフロー管６）と、補給水を前記オーバーフロー管の開口部へ向けて吐出する補給水吐水部（例えば、後述の補給水供給口５４）を有し、前記開口部の上方から前記オーバーフロー管の内部に補給水を供給する補給水供給部（例えば、後述の吐水管５）と、前記補給水供給部から出た水を前記開口部と前記洗浄水タンクとのそれぞれに流すことが可能な補給水流量調整部（例えば、後述の吐水管５の部分５ａ、一方側補給水受け部６１、他方側補給水受け部６２）とを、有する便器装置（例えば、後述の便器装置１００）に関する。
【０００７】
また、前記補給水流量調整部は、前記オーバーフロー管の開口部に対する、前記補給水吐水部から吐出する補給水の相対的な方向を変化させる相対変化部（例えば、後述の吐水管５の部分５ａ）と、前記洗浄水タンクへ連通する貫通孔（例えば、後述の一方側貫通孔６１２ａ、他方側貫通孔６２２ａ）が形成され前記補給水吐水部からの補給水を受ける補給水受け部（例えば、後述の一方側補給水受け部６１、他方側補給水受け部６２）と、を有することが好ましい。
【０００８】
また、前記補給水受け部は、前記オーバーフロー管の開口部に設けられていることが好ましい。また、前記相対変化部は、前記開口部に対する補給水の吐出方向を変化可能に前記補給水吐水部を回転可能に支持する補給水吐水部支持部（例えば、後述の吐水管５の部分５ａ）により構成されることが好ましい。
【発明の効果】
【０００９】
本発明によれば、オーバーフロー管に流れる補給水の量を調整可能な便器装置を提供することを目的とする。
【図面の簡単な説明】
【００１０】
【図１】本実施形態の便器装置を示す斜視図である。
【図２】本実施形態の便器装置の部分平面図である。
【図３】本実施形態の便器装置の部分縦断面図である。
【図４】本実施形態の便器装置のオーバーフロー管及びその周辺を含む部分を示す斜視図である。
【図５】本実施形態の便器装置のオーバーフロー管及びその周辺を部材示す要部斜視図である。
【図６】本実施形態の便器装置の補給水吐水部を示す斜視図である。
【図７】本実施形態の便器装置の補給水吐水部を示す分解斜視図である。
【図８】本実施形態の便器装置の補給水吐水部及び回転固定部材５５を示す分解斜視図である。
【図９】本実施形態の便器装置の補給水吐水部に回転固定部材５５が係合している様子を示す斜視図である。
【図１０】本実施形態の便器装置のオーバーフロー管を示す平面図である。
【発明を実施するための形態】
【００１１】
以下、本発明の実施形態について図面を参照して詳細に説明する。図１は、便器装置１００の斜視図である。
便器装置１００は、図１に示すように、便器１０２が床面ｆ１に設置される床置きタイプである。なお、以下の説明において、便器１０２の便座（図示せず）に着座した使用者から見た場合の前後の向きを前後方向とする。また、便器１０２の便座（図示せず）に着座した使用者から見た場合の左右の向きを幅方向とする。更に、床面ｆ１に対する鉛直方向に沿う上下の向きを上下方向とする。
【００１２】
便器装置１００は、図１に示すように、便器１０２と、便座（図示せず）と、便蓋１０３と、タンクカバー１０４と、便器洗浄タンク２と、を備えている。
便器１０２は、立壁面ｆ２に近接した床面ｆ１上に設置されている。便器１０２の上部には、便座（図示せず）及び便蓋１０３が回動可能に取り付けられている。
タンクカバー１０４は、便器１０２の後方側に取り付けられ、後述する給水装置１の外側を覆う。
【００１３】
本実施形態に示すタンクカバー１０４は、便器洗浄タンク２の前面側を覆う前カバー１０４ａと、便器洗浄タンク２の側面側及び後面側を覆う後カバー１０４ｂと、便器洗浄タンク２の上面側を覆う上カバー１０４ｃと、を有し、これら各カバー１０４ａ〜１０４ｃが組み合わされることにより、略直方形となる便器洗浄タンク２の収容空間を構成している。
【００１４】
なお、タンクカバー１０４の下方は、前面プレート１０５ａと側面プレート１０５ｂとからなる下部プレート１０５によって覆われている。これにより、便器１０２の後方側に配置される給排水管（図示せず）等が目隠しされると共に、便器１０２の後方側が、タンクカバー１０４と一体に上下方向に延びる薄型の略直方形の箱体状となる。
【００１５】
図２は、便器装置１００の部分平面図である。図３は、便器装置１００における便器洗浄タンク２の部分縦断面図である。
図２及び図３に示すように、便器装置１００は、便器洗浄タンク２の内部に収容される給水装置１を有する。
また、便器装置１００は、便器洗浄タンク２の下部に形成される排水口２２に接続されるオーバーフロー管６と、排水口２２に設けられた排水弁７と、排水弁７から上方へ延びる玉鎖７１とを有する。
また、便器装置１００は、排水弁７に接続されて、便器１０２に洗浄水を供給するレバーアーム８及びハンドル９を有する。
【００１６】
便器洗浄タンク２は、上部が開口し、洗浄水を貯留可能な略直方体の容器である。便器洗浄タンク２は、タンクカバー１０４に周囲を覆われる前壁２ａ、後壁２ｂ、底面部２ｃ、一対の側壁２ｄを有する。便器洗浄タンク２は、上部における幅方向の一方で給水管２１に接続される。また、便器洗浄タンク２は、下部における幅方向の中央に排水口２２が形成され、排水口２２は便器洗浄タンク２の下方に配置される便器１０２に連通している。
【００１７】
図４は、オーバーフロー管及びその周辺を含む部分を示す斜視図である。図５は、オーバーフロー管及びその周辺を部材示す要部斜視図である。
給水装置１は、ボールタップ給水栓３と、フロート４と、吐水管５と、を含む。給水装置１は、便器洗浄タンク２内の水位に応じて、洗浄水を便器洗浄タンク２に供給する装置である。
【００１８】
ボールタップ給水栓３は、便器洗浄タンク２の内部に配置され、便器洗浄タンク２の幅方向に沿って延びる略円筒形の形状を有する。ボールタップ給水栓３は、一方がストレーナ２３を介して便器洗浄タンク２の左下側から延びる給水管２１に接続され、他方がフロート４に接続される。また、ボールタップ給水栓３は、フロート４近傍の側部において分岐して吐水管５に接続され、給水管２１から供給された洗浄水を、吐水管５を介して便器洗浄タンク２に供給する。
【００１９】
即ち、ボールタップ給水栓３は、図示しないダイヤフラム弁及びパイロット弁を有しており、フロート４の上下により、パイロット弁及びダイヤフラム弁を閉じたり開いたりするように構成されている。ダイヤフラム弁が開くことにより、ストレーナ２３を介して給水管２１から吐水管５に洗浄水が供給されるように構成されている。
【００２０】
フロート４は、便器洗浄タンク２内の洗浄水の水位に連動して上下に移動する。
フロート４は、フロート本体４１と、フロートアーム４２と、軸部４３と、アームガイド４４と、を有する。
【００２１】
フロート本体４１は、水より密度の小さい部材、例えばプラスチックで形成される。フロート本体４１は、略円筒形で内部が中空に形成されている。
【００２２】
軸部４３は、フロート本体４１の中心に配置され、上下に昇降可能に保持されている。軸部４３は、下端がフロート本体４１の内部を貫通した状態でフロート本体４１に接続される。便器１０２を洗浄するため、便器洗浄タンク２内の水が排出されると、水位が下がり、フロート本体４１が下がる。これにより、フロートアーム４２は下方に伸び、フロートアーム４２の伸長に合わせて軸部４３がガイド４４にガイドされながら下降する。フロートアーム４２が伸長すると、フロートアーム４２の上腕部４２１が後退し、図示しないパイロット弁を開く。パイロット弁が開かれることで、図示しないダイヤフラム弁が開かれる。これにより、ボールタップ給水栓３内の水がダイヤフラム弁を通過して吐水管５へ流れ、便器洗浄タンク２内に供給されるように構成されている。
【００２３】
吐水管５は、上下方向に延び、ボールタップ給水栓３から供給された洗浄水を便器洗浄タンク２へ供給する管である。図３に示すように、吐水管５は、下端が開放され、便器洗浄タンク２内に貯留された水に浸漬されている。吐水管５は、上端側では、ボールタップ給水栓３の側面に接続されている。また、吐水管５には、吐水管５から分岐してオーバーフロー管６へ洗浄水を供給する補給水吐水部としての補給水供給口５４が設けられている。
【００２４】
図６は、便器装置の補給水吐水部を示す斜視図である。図７は、便器装置の補給水吐水部を示す分解斜視図である。図８は、便器装置の補給水吐水部及び回転固定部材５５を示す分解斜視図である。図９は、本実施形態の便器装置の補給水吐水部に回転固定部材５５が係合している様子を示す斜視図である。
補給水供給口５４は、補給水供給口５４へ補給水を供給する補給水供給管部材としての吐水管５の上端部に対して回転可能に、吐水管５に支持されている。補給水供給口５４が回転させられことにより、後述のオーバーフロー管６の上端部の開口部６ａに対する補給水の吐出方向を変化可能である。
補給水供給口５４を支持する吐水管５の部分５ａは、補給水吐水部支持部を構成する。補給水吐水部支持部は、オーバーフロー管６のオーバーフロー管６に対する、補給水供給口５４から吐出する補給水の相対的な方向を変化させる相対変化部を構成し、相対変化部は、オーバーフロー管６に流入する補給水の流量を調整可能な補給水流量調整部を構成する。
【００２５】
具体的には、図７に示すように、吐水管５の上端部近傍の側面には、吐水管５の内部と外部とを連通する貫通孔５ｂが形成されており、この貫通孔５ｂには、補給水供給口５４の基部５４１が挿入されている。補給水供給口５４は、基部５４１と先端部５４２とを有している。基部５４１は、円筒形状に形成されており、複数の溝５４１ａ、５４１ｂが形成されている。溝５４１ａには、Ｏリング５４１１が装着され、貫通孔５ｂを形成している吐水管５の部分と、基部５４１との間をシールする。溝５４１ｂには、基部５４１が貫通孔５ｂに挿入されているときに、回転固定部材５５の先端Ｃ字状部５５２が係合する。
【００２６】
回転固定部材５５は、図８等に示すように固定部材基部５５１と先端Ｃ字状部５５２とを有している。先端Ｃ字状部５５２は、Ｃ字形状を有しており、先端Ｃ字状部５５２の中央部は、固定部材基部５５１と一体成形されることにより接続されている。固定部材基部５５１は、一端部としての長方形板状部５５１１と、延出部５５１２とを有している。延出部５５１２は、長方形板状部５５１１から先端Ｃ字状部５５２の方へ延びており、延出部５５１２の延出端部には、先端Ｃ字状部５５２の中央部が接続されている。
【００２７】
延出部５５１２と先端Ｃ字状部５５２とは、図６、図７に示すように、貫通孔５ｂを形成している吐水管５の部分において、貫通孔５ｂから貫通孔５ｂに直交する方向に延びる細孔５ｃに挿入され、貫通孔５ｂの内部において、図９に示すように、溝５４１ｂに先端Ｃ字状部５５２が係合する。この係合により、補給水供給口５４は、吐水管５に対して回転不能に固定される。補給水供給口５４の回転位置を変える場合には、細孔５ｃから回転固定部材５５を引き抜き、吐水管５に対して補給水供給口５４を回転させて所定の回転位置とした後で、再び、細孔５ｃへ回転固定部材５５を挿入して、補給水供給口５４を、吐水管５に対して回転不能に固定する。
【００２８】
補給水供給口５４の先端部５４２は、図８等に示すように、Ｌ字状に形成された管部５４２１と、屈曲板状部５４２２とを有している。屈曲板状部５４２２は、Ｌ字状に形成された管部５４２１の軸心を含むような平板状に形成されており、Ｌ字状に形成された管部５４２１の折れ曲がった部分よりも上側の部分は屈曲して、「く」の字状に折り曲げられたような形状に形成されている。
【００２９】
図４等に示すように、オーバーフロー管６は、上部に開口部６ａを有し、上下方向に延びる略円筒状の管である。オーバーフロー管６は、上端側が開放され、吐水管５から分岐する補給水供給口５４から洗浄水が供給される。オーバーフロー管６は、下端側が、排水口２２に連通している。オーバーフロー管６においては、便器洗浄タンク２に貯留された洗浄水の水位が所定位置を上回って溢れた際に、洗浄水が開口部６ａから流入して排水の際に便器１０２へ流出するように構成されている。
【００３０】
図１０は、便器装置のオーバーフロー管を示す平面図である。
より具体的には、オーバーフロー管６の上端部の開口部６ａは、図１０に示すように上方向に向かって略菱形（菱形の各角部をそれぞれ丸めたような形状）で広がるように形成されており、開口部６ａの上端縁の全周は、水平な位置関係で形成されている。略菱形の開口部６ａの上端縁の長手方向における一方の端部と他方の端部とには、それぞれ補給水供給口５４からの補給水を受ける部分である一方側補給水受け部６１と他方側補給水受け部６２とが設けられている。
【００３１】
一方側補給水受け部６１は、平面視で図１０に示すように、開口部６ａの上端縁の長手方向における他方側（図１０における右方向側）に向かって開口する略コの字形状に、開口部６ａの上端縁から開口部６ａの外方向（図１０における左方向）へ向かって突出して形成されている。一方側補給水受け部６１の周縁部の全体には、図４等に示すように、上方向に延びる一方側周縁壁６１１が設けられている。また、図１０に示すように、一方側補給水受け部６１の底面には、当該底面を上下方向に貫通して便器洗浄タンク２の内部に連通する、平面視で略台形状の一方側貫通孔６１２ａが形成されている。
【００３２】
他方側補給水受け部６２は、平面視で図１０に示すように、開口部６ａの上端縁の長手方向における他方側（図１０における左方向側）に向かう方向に対して直交する方向（図１０における上方向）に向かって開口する略コの字形状に、開口部６ａの上端縁から開口部６ａの外方向（図１０における下方向）へ向かって突出して形成されている。他方側補給水受け部６２の周縁部の全体には、図４等に示すように、上方向に延びる他方側周縁壁６２１が設けられている。開口部６ａの上端縁からの他方側周縁壁６２１の高さは開口部６ａの上端縁からの一方側周縁壁６１１の高さの半分である。また、図１０に示すように、他方側補給水受け部６２の底面には、当該底面を上下方向に貫通して便器洗浄タンク２の内部に連通する、平面視で略台形状の他方側貫通孔６２２ａが形成されている。平面視における他方側貫通孔６２２ａの面積は、平面視における一方側貫通孔６１２ａの面積の半分である。
【００３３】
排水弁７は、図３に示すように、排水口２２を開閉可能に覆っている略円形の蓋体により構成されている。玉鎖７１は、排水弁７に接続され、玉鎖７１が上方に引き上げられると、排水弁７が開き、排水口２２から便器洗浄タンク２に貯留された洗浄水を流すように構成されている。
【００３４】
レバーアーム８は、玉鎖７１の上端から便器洗浄タンク２の上部で略水平方向に延びている。レバーアーム８は回転可能な軸部である。レバーアーム８は玉鎖７１と接続されている。
【００３５】
ハンドル９は、便器洗浄タンク２の外部に配置され、レバーアーム８と連動して回動可能に取り付けられている。使用者がハンドル９を操作して回すことで、レバーアーム８が回動する。レバーアーム８の回動に伴って玉鎖７１が上方に引っ張られ、排水弁７が開くように構成されている。
【００３６】
次に、オーバーフロー管６の開口部６ａに対する、補給水供給口５４から吐出する補給水の相対的な方向を変化させることによる、開口部６ａに流入する補給水の流量の調整について説明する。
【００３７】
補給水を全てオーバーフロー管６の中に流す場合には、補給水供給口５４から吐出される補給水の方向がオーバーフロー管６の開口部６ａの中央に指向するように、補給水供給口５４を回転させて調整する。補給水の一部をオーバーフロー管６の中に流し、残りの補給水を便器洗浄タンク２の内部に流す場合には、補給水供給口５４から吐出される補給水の方向が、一方側補給水受け部６１又は他方側補給水受け部６２に指向するように、補給水供給口５４を回転させて調整する。
【００３８】
この際、オーバーフロー管６の中に流す補給水の量を比較的多くして、便器洗浄タンク２の内部に流す補給水の量を比較的少なくしたい場合には、補給水供給口５４から吐出される補給水の方向が、他方側補給水受け部６２に指向するように、補給水供給口５４を回転させて調整する。また、オーバーフロー管６の中に流す補給水の量を比較的少なくして、便器洗浄タンク２の内部に流す補給水の量を比較的多くしたい場合には、補給水供給口５４から吐出される補給水の方向が、一方側補給水受け部６１に指向するように、補給水供給口５４を回転させて調整する。
【００３９】
また、補給水を全て便器洗浄タンク２の中に流す場合には、補給水供給口５４から吐出される補給水の方向が、オーバーフロー管６の開口部６ａ、一方側補給水受け部６１、及び、他方側補給水受け部６２のいずれにも指向しないで便器洗浄タンク２の内部の空間に指向するように、補給水供給口５４を回転させて調整する。
【００４０】
以上説明した本実施形態の便器装置１００によれば、以下のような効果を奏する。
本実施形態の便器装置１００は、便器１０２と、便器１０２の上方に配置される洗浄水タンクとしての便器洗浄タンク２と、便器洗浄タンク２の内部に配置され、上部に開口部６ａを有するオーバーフロー管６と、補給水をオーバーフロー管６の開口部６ａへ向けて吐出する補給水吐水部としての補給水供給口５４を有し、開口部６ａの上方からオーバーフロー管６の内部に補給水を供給する補給水供給部としての吐水管５と、吐水管５から出た水を開口部６ａと便器洗浄タンク２とのそれぞれに流すことが可能な補給水流量調整部と、を備える。
補給水流量調整部は、オーバーフロー管６の開口部６ａに対する、補給水供給口５４から吐出する補給水の相対的な方向を変化させる相対変化部（部分５ａ）と、便器洗浄タンク２へ連通する貫通孔が形成され補給水供給口５４からの補給水を受ける補給水受け部（一方側補給水受け部６１、他方側補給水受け部６２）と、を有する。
【００４１】
そのため、補給水供給口５４から吐出される補給水の方向を、オーバーフロー管６の開口部６ａ、一方側補給水受け部６１、他方側補給水受け部６２、便器洗浄タンク２、のいずれかに指向するように、変えることが可能となる。このように補給水の指向する方向を変えることにより、オーバーフロー管６に流入する補給水の量と、便器洗浄タンク２に流入する補給水の量との割合を調整することができる。
【００４２】
また、本実施形態においては、補給水受け部（一方側補給水受け部６１、他方側補給水受け部６２）は、オーバーフロー管６の開口部６ａに設けられている。そのため、補給水供給口５４から吐出される補給水の方向を、開口部６ａの内部に指向していた状態から、開口部６ａに設けられた一方側補給水受け部６１、他方側補給水受け部６２に指向している状態とさせたり、一方側補給水受け部６１、他方側補給水受け部６２に指向させていた状態から、開口部６ａ、一方側補給水受け部６１、及び、他方側補給水受け部６２のいずれにも指向せず便器洗浄タンク２の内部に指向している状態とさせたりすることで、容易にオーバーフロー管６に流入する補給水の量と、便器洗浄タンク２に流入する補給水の量との割合を調整することができる。
【００４３】
また、本実施形態においては、相対変化部は、開口部６ａに対する補給水の吐出方向を変化可能に補給水供給口５４を回転可能に支持する補給水吐水部支持部（部分５ａ）により構成される。そのため、補給水供給口５４を回転させることにより、容易にオーバーフロー管６に流入する補給水の量と、便器洗浄タンク２に流入する補給水の量との割合を調整することができる。また、この割合を調整したいときには、適宜補給水供給口５４を回転させて固定させればよいため、一旦この割合を設定した後に、割合を変える必要が生じた場合であっても、容易に割合を変えることが可能である。
【００４４】
以上、本発明の便器装置の好ましい実施形態について説明したが、本発明は、上述した実施形態に制限されるものではなく、適宜変更が可能である。例えば、一方側補給水受け部６１、及び、他方側補給水受け部６２は、オーバーフロー管６の開口部６ａに設けられていたが、この構成に限定されない。例えば、補給水流量調整部は、洗浄水タンクに固定されていてもよい。
【００４５】
また、相対変化部は、補給水供給口５４を回転可能に支持する補給水吐水部支持部（部分５ａ）により構成されたが、この構成に限定されない。例えば、相対変化部は、補給水吐水部をオーバーフロー管６の開口部６ａに対して相対的に移動させてもよく、また、オーバーフロー管６の開口部６ａを補給水吐水部に対して移動や回転させてもよい。また、オーバーフロー管６の開口部６ａと補給水吐水部との両方が相対的に移動してもよい。
【００４６】
また、本実施形態では、便器装置１００は、便器１０２が床面ｆ１に設置される床置きタイプの便器装置であったが、これに限定されない。例えば、便器装置は、壁掛け式の便器装置であってもよい。
【符号の説明】
【００４７】
２  便器洗浄タンク（洗浄水タンク）
５  吐水管（補給水供給部）
５ａ  部分（補給水流量調整部、相対変化部、補給水吐水部支持部）
６  オーバーフロー管
６ａ  開口部
５４  補給水供給口（補給水吐水部）
６１  一方側補給水受け部（補給水受け部）
６２  他方側補給水受け部（補給水受け部）
１００  便器装置
１０２  便器
６１２ａ  一方側貫通孔（貫通孔）
６２２ａ  他方側貫通孔（貫通孔）
【図１】
2019190247.tif 000003
【図２】
2019190247.tif 000004
【図３】
2019190247.tif 000005
【図４】
2019190247.tif 000006
【図５】
2019190247.tif 000007
【図６】
2019190247.tif 000008
【図７】
2019190247.tif 000009
【図８】
2019190247.tif 000010
【図９】
2019190247.tif 000011
【図１０】
2019190247.tif 000012